(57)【要約】【課題】画像のプリント時に生じる違和感を軽減できる携帯端末等を提供する。【解決手段】ユーザは、携帯端末５によって画像のプリント注文を行うことができる。携帯端末５は、携帯端末５の端末位置をサーバ３に送信する端末位置送信手段１１１と、端末位置に最も近い画像プリント装置のプリンタ情報をサーバ３から受信するプリンタ情報受信手段１１２と、プリンタ情報に基づいて上記の画像を変換し、表示する画像表示手段１１３と、を有する。【選択図】図８
2020061064.tif 000002
【特許請求の範囲】
【請求項１】
画像のプリント注文を行う携帯端末であって、
画像プリント装置のプリンタ情報をサーバから受信するプリンタ情報受信手段と、
前記プリンタ情報に基づき前記画像を変換し表示する画像表示手段と、
を有することを特徴とする携帯端末。
【請求項２】
前記画像表示手段は、前記画像を表示して編集する際に、前記プリンタ情報に基づき前記画像を変換することを特徴とする請求項１記載の携帯端末。
【請求項３】
端末位置を前記サーバに送信する端末位置送信手段を更に有し、
前記プリンタ情報は、前記端末位置に最も近い画像プリント装置のプリンタ情報であることを特徴とする請求項１または請求項２記載の携帯端末。
【請求項４】
前記端末位置に最も近い画像プリント装置の位置情報を前記サーバから受信する近隣装置受信手段を更に有することを特徴とする請求項３記載の携帯端末。
【請求項５】
携帯端末にて画像を画像プリント装置のプリンタ情報に基づき変換し表示させるべく、前記プリンタ情報を前記携帯端末に送信するプリンタ情報送信手段を有することを特徴とするサーバ。
【請求項６】
前記プリンタ情報と、前記画像をプリントする画像プリント装置のプリンタ情報とが一致するか否かを判定する判定手段を有することを特徴とする請求項５記載のサーバ。
【請求項７】
画像のプリント注文を行う携帯端末と、サーバと、画像プリント装置とを有する画像プリントシステムであって、
前記携帯端末は、
前記画像プリント装置のプリンタ情報を前記サーバから受信するプリンタ情報受信手段と、
前記プリンタ情報に基づき前記画像を変換し表示する画像表示手段と、
を有することを特徴とする画像プリントシステム。
【請求項８】
携帯端末を、
画像プリント装置のプリンタ情報をサーバから受信するプリンタ情報受信手段と、
前記プリンタ情報に基づき画像を変換し表示する画像表示手段と、
して機能させるためのプログラム。
【請求項９】
コンピュータを、
携帯端末にて画像を画像プリント装置のプリンタ情報に基づき変換し表示させるべく、前記プリンタ情報を前記携帯端末に送信するプリンタ情報送信手段を有するサーバとして機能させるためのプログラム。
【発明の詳細な説明】
【技術分野】
【０００１】
本発明は、携帯端末、サーバ、および画像プリントシステムとプログラムに関する。
【背景技術】
【０００２】
スマートフォン等の携帯端末の記憶部に格納されたユーザの画像を街頭のプリント装置でプリントできるサービスは種々存在し、コンビニエンスストアや家電量販店等に設置されている画像プリント装置でプリントを行うことが可能である。
【０００３】
また特許文献１には、画像プリント装置として証明写真の撮影ボックスを利用し、カメラ付き通信装置(携帯電話)からサーバに送信された画像を証明写真の撮影ボックスでダウンロードしてプリントするサービスが記載されている。
【０００４】
画像プリント装置では、内部のプリンタに画像を転送する際にプリンタの種類に応じた画像変換を行う。プリンタの種類は画像プリント装置によって異なる場合が有り、それぞれの画像プリント装置で異なる画像変換がなされる。
【先行技術文献】
【特許文献】
【０００５】
【特許文献１】特開2004−240737号公報
【発明の概要】
【発明が解決しようとする課題】
【０００６】
ユーザは、画像のプリント注文を行う際に携帯端末で画像を表示させて当該画像の編集等を行い、その画像のプリントを画像プリント装置で行うが、画像を表示する時点ではどの画像プリント装置でプリントするかは不明なため、前記したプリンタの種類に関わらず標準的な画像表示が行われる。そのため携帯端末で表示した画像とそのプリント結果との間で印象が異なることがあり、違和感を与えて満足度を低下させることがあった。
【０００７】
本発明は上記の問題に鑑みてなされたものであり、画像のプリント時に生じる違和感を軽減できる携帯端末等を提供することを目的とする。
【課題を解決するための手段】
【０００８】
前述した課題を解決するための第１の発明は、画像のプリント注文を行う携帯端末であって、画像プリント装置のプリンタ情報をサーバから受信するプリンタ情報受信手段と、前記プリンタ情報に基づき前記画像を変換し表示する画像表示手段と、を有することを特徴とする携帯端末である。
【０００９】
本発明では、携帯端末で画像を表示する際、画像プリント装置のプリント情報を受信することで、当該プリンタ情報に基づいた画像表示を携帯端末にて行うことができる。こうして画像プリント装置のプリンタ情報に基づいた表示を行うことで、ユーザがその画像プリント装置で画像をプリントした時の違和感を軽減し、高い満足度を与えることができる。
【００１０】
前記画像表示手段は、前記画像を表示して編集する際に、前記プリンタ情報に基づき前記画像を変換することが望ましい。
本発明では、画像を表示して編集する際に、プリンタ情報に基づいた画像表示を行うことができる。
【００１１】
端末位置を前記サーバに送信する端末位置送信手段を更に有し、前記プリンタ情報は、前記端末位置に最も近い画像プリント装置のプリンタ情報であることが望ましい。
本発明では、端末位置をサーバに送信して当該端末位置の最寄りの画像プリント装置のプリント情報を受信し、そのプリント情報に基づいた画像表示を行うことで、ユーザが最寄りの画像プリント装置で画像をプリントした時の違和感を軽減できる。
【００１２】
前記端末位置に最も近い画像プリント装置の位置情報を前記サーバから受信する近隣装置受信手段を更に有することが望ましい。
本発明では、最寄りの画像プリント装置の位置情報を受信することで、その位置情報を表示するなどして最寄りの画像プリント装置までユーザを誘導できる。
【００１３】
第２の発明は、携帯端末にて画像を画像プリント装置のプリンタ情報に基づき変換し表示させるべく、前記プリンタ情報を前記携帯端末に送信するプリンタ情報送信手段を有することを特徴とするサーバである。
第２の発明のサーバは、第１の発明の携帯端末にプリンタ情報を送信する。
【００１４】
前記サーバは、前記プリンタ情報と、前記画像をプリントする画像プリント装置のプリンタ情報とが一致するか否かを判定する判定手段を有することが望ましい。
画像変換に用いたプリンタ情報と実際に画像をプリントする画像プリント装置のプリンタ情報が一致するかどうかを判定することで、画像変換に用いたプリンタ情報に対応する画像プリント装置と異なる画像プリント装置でプリントを行うことで違和感を与える恐れがあることをシステム側で把握できる。
【００１５】
第３の発明は、画像のプリント注文を行う携帯端末と、サーバと、画像プリント装置とを有する画像プリントシステムであって、前記携帯端末は、前記画像プリント装置のプリンタ情報を前記サーバから受信するプリンタ情報受信手段と、前記プリンタ情報に基づき前記画像を変換し表示する画像表示手段と、を有することを特徴とする画像プリントシステムである。
第３の発明は、第１の発明の携帯端末とサーバおよび画像プリント装置を有する画像プリントシステムである。
【００１６】
第４の発明は、携帯端末を、画像プリント装置のプリンタ情報をサーバから受信するプリンタ情報受信手段と、前記プリンタ情報に基づき画像を変換し表示する画像表示手段と、して機能させるためのプログラムである。
第４の発明は、携帯端末を第１の発明の携帯端末として機能させるためのプログラムである。
【００１７】
第５の発明は、コンピュータを、携帯端末にて画像を画像プリント装置のプリンタ情報に基づき変換し表示させるべく、前記プリンタ情報を前記携帯端末に送信するプリンタ情報送信手段を有するサーバとして機能させるためのプログラムである。
第５の発明は、コンピュータを第２の発明のサーバとして機能させるためのプログラムである。
【発明の効果】
【００１８】
本発明により、画像のプリント時に生じる違和感を軽減できる携帯端末等を提供することが可能となる。
【図面の簡単な説明】
【００１９】
【図１】画像プリントシステム１を示す図。
【図２】画像プリント装置２の外観を示す図。
【図３】画像プリント装置２のシステム構成を示す図。
【図４】制御装置２０のハードウェア構成を示す図。
【図５】画像プリント装置２における画像変換について説明する図。
【図６】サーバ３のハードウェア構成を示す図。
【図７】携帯端末５のハードウェア構成を示す図。
【図８】画像プリントシステム１の機能構成を示す図。
【図９】注文画像データ１００、装置データ２００、注文受付データ３００の例。
【図１０】画像１０１のプリント注文の手順を示すフローチャート。
【図１１】携帯端末５における画像変換について説明する図。
【図１２】携帯端末５に表示される画面の例。
【図１３】画像１０１をプリントする手順を示すフローチャート。
【図１４】確認画面の例。
【図１５】二次元コード１０３等を表示する手順を示すフローチャート。
【図１６】確認画面の例。
【発明を実施するための形態】
【００２０】
以下、図面に基づいて本発明の好適な実施形態について詳細に説明する。
【００２１】
［第１の実施形態］
（１．画像プリントシステム１）
図１は本発明の実施形態に係る画像プリントシステム１を示す図である。図１に示すように、本実施形態の画像プリントシステム１は、画像プリント装置２、サーバ３、及び携帯端末５がネットワーク６を介して通信可能に接続された構成を有する。
【００２２】
画像プリント装置２はユーザが自身の撮影を行う写真撮影装置としての機能も有し、例えば街頭に設置された証明写真の撮影ボックスである。画像プリント装置２はユーザを撮影してその画像を証明写真などとしてプリントする（写真撮影サービス）のに加え、携帯端末５からサーバ３に送信されたユーザの画像のプリントも行う（画像プリントサービス）。
【００２３】
図２は画像プリント装置２の外観を示す図であり、図３は画像プリント装置２のシステム構成を示す図である。
【００２４】
画像プリント装置２はユーザが中に入って撮影を行うボックス状の外観を有し、制御装置２０、表示部２１、課金部２２、撮影部２３、照明２４、読取部２５、プリンタ２６、プリント物取出口２７等を有する。
【００２５】
制御装置２０は画像プリント装置２の内部に設けられ、画像プリント装置２の処理全体を制御する。
【００２６】
図４は制御装置２０のハードウェア構成を示す図である。図４に示すように、制御装置２０は、例えば制御部２１０、記憶部２２０、入力部２３０、通信部２４０等をバス等により接続して構成したコンピュータにより実現できる。但しこれに限ることなく、適宜様々な構成をとることができる。
【００２７】
制御部２１０はCPU、ROM、RAMなどから構成される。CPUは、記憶部２２０、ROMなどの記憶媒体に格納された制御装置２０の処理に係るプログラムをRAM上のワークエリアに呼び出して実行する。ROMは不揮発性メモリであり、ブートプログラムやBIOSなどのプログラム、データなどを恒久的に保持している。RAMは揮発性メモリであり、記憶部２２０、ROMなどからロードしたプログラムやデータを一時的に保持するとともに、制御部２１０が各種処理を行うために使用するワークエリアを備える。
【００２８】
記憶部２２０はハードディスクドライブやソリッドステートドライブ、フラッシュメモリ等であり、後述する処理に際し制御装置２０が実行するプログラム、プログラム実行に必要なデータ、OS（オペレーションシステム）等が格納される。これらのプログラムやデータは、制御部２１０により必要に応じて読み出され実行される。
【００２９】
入力部２３０は制御装置２０に各種の設定入力を行うものである。
通信部２４０はネットワーク６等を介した通信を媒介する通信インタフェースであり、サーバ３等との間で通信を行う。
【００３０】
図２、３の説明に戻る。表示部２１は、画像プリント装置２の入力部を兼ねたタッチパネル付ディスプレイ等により実現される。表示部２１は、ユーザの操作・選択に係る各種の画面を表示し、画面上のタッチ操作によるユーザの指示入力等を受付ける。
【００３１】
課金部２２は、硬貨や紙幣の投入口、つり銭返却口、レシート取出口、レシートプリンタ等（不図示）を備え、ユーザからの課金やレシートの発行を管理する。
【００３２】
撮影部２３は、撮影窓の内側にカメラ等を設けたものである。カメラには例えば高解像度のデジタルカメラが用いられるが、これに限ることはない。
【００３３】
照明２４は、画像プリント装置２のボックス内の全体を照らす照明である。照明２４は例えば白色の光を照射する面光源であり、撮影部２３の上部に設けられるが、これに限ることはない。
【００３４】
読取部２５はイメージスキャナや読取用の照明等を備える。
【００３５】
プリンタ２６は、画像を用紙にプリントするものであり、画像プリント装置２の内部に設けられる。画像をプリントしたプリント物はプリント物取出口２７に排出される。プリンタ２６の方式や設置台数等は特に問わない。
【００３６】
画像プリント装置２では、図５（ａ）の矢印Ａに示すように、プリントする元画像をプリンタ２６に転送する際にプリンタ２６の種類に合わせたサイズ変換を行っている。矢印Ｂに示すように、プリンタ２６は転送された画像の中央部の所定領域ａをプリントしてプリント物を作成し、当該画像の外周部は印刷されない（蹴られる）部分となる。
【００３７】
図５（ａ）の例では元画像のサイズが横4000×縦3000pixel、プリンタ転送時の画像のサイズが横1830×縦1220pixel、プリントされる画像のサイズが横1800×縦1200pixelである。矢印Ａに示すサイズ変換は、実際には例えば矢印Ａ１、Ａ２に示すように元画像の縦横のサイズをそれぞれ1830/4000（＝プリンタ転送時の画像の横のサイズを元画像の横のサイズで割った値）倍した後、その上下端の所定幅の部分を除いた残りの領域ｂを抽出することにより行われる。ただし、実際のサイズ変換の方法が上記に限られることはない。
【００３８】
図５（ｂ）に示すようにプリンタ転送時の画像のサイズは画像プリント装置２のプリンタ２６の種類によって異なり、各画像プリント装置２でサイズ変換時の縮小率が異なることから最終的なプリント物の印象も画像プリント装置２ごとに異なる。
【００３９】
また、画像プリント装置２ではプリンタ転送時の画像を作成する際にプリンタ２６の種類に応じたシャープネスの設定や色変換も独自に行っており、このシャープネスの設定や色変換式も画像プリント装置２ごとに異なっている。
【００４０】
図１の説明に戻る。サーバ３は、画像のプリント注文を携帯端末５から受け付けるものである。
【００４１】
図６はサーバ３のハードウェア構成を示す図である。図６に示すように、サーバ３は、例えば制御部３１、記憶部３２、表示部３３、入力部３４、及び通信部３５等をバス等により接続して構成したコンピュータにより実現できる。但し、これに限ることなく、適宜様々な構成をとることができる。
【００４２】
制御部３１、記憶部３２、入力部３４、通信部３５の機能は上述した制御部２１０、記憶部２２０、入力部２３０、通信部２４０と略同様である。また表示部３３は液晶パネル等のディスプレイ装置を有する。
【００４３】
なお、記憶部３２には後述する処理をサーバ３に実行させるためのプログラムやデータが格納される。特に本実施形態では、画像のプリント注文に関する注文受付データと、画像プリント装置２に関する装置データが記憶部３２に格納される。注文受付データと装置データについては後述する。
【００４４】
図１の説明に戻る。携帯端末５はユーザが画像のプリント注文に用いるコンピュータ端末であり、例えばスマートフォンやタブレット端末等を用いることができる。
【００４５】
図７は携帯端末５のハードウェア構成を示す図である。図７に示すように、携帯端末５は制御部５１、記憶部５２、表示部５３、入力部５４、通信部５５、カメラ５６、音声入出力部５７等をバス等により接続して構成される。但し、これに限ることなく、適宜様々な構成をとることができる。
【００４６】
制御部５１、記憶部５２、入力部５４、通信部５５の機能は上述した制御部２１０、記憶部２２０、入力部２３０、通信部２４０と略同様である。また表示部５３は液晶パネル等のディスプレイ装置を有し、入力部５４としてのタッチパネルが設けられている。音声入出力部５７はマイクやスピーカ等である。
【００４７】
なお、記憶部５２には携帯端末５の後述する処理を実行するための専用のアプリケーションプログラムや、プリント注文した画像に関する注文画像データが格納される。注文画像データについては後述する。
【００４８】
図８は画像プリントシステム１の機能構成を示す図である。図８に示すように、画像プリントシステム１において、携帯端末５は、端末位置送信手段１１１、プリンタ情報受信手段１１２、画像表示手段１１３、近隣装置受信手段１１４等を有する。またサーバ３は端末位置受信手段１１５、プリンタ情報送信手段１１６、近隣装置送信手段１１７、判定手段１１８等を有する。
【００４９】
端末位置送信手段１１１は、画像のプリント注文時に、携帯端末５がその端末位置を通信部５５を介してサーバ３に送信するものである。
【００５０】
プリンタ情報受信手段１１２は、携帯端末５が、上記端末位置に最も近い画像プリント装置２のプリンタ情報を通信部５５を介してサーバ３から受信するものである。プリンタ情報については後述する。
【００５１】
画像表示手段１１３は、携帯端末５が、プリンタ情報に基づいて画像を変換し、表示部５３に表示するものである。
【００５２】
近隣装置受信手段１１４は、携帯端末５が、上記端末位置に最も近い画像プリント装置２の位置情報を通信部５５を介してサーバ３から受信するものである。
【００５３】
端末位置受信手段１１５は、画像のプリント注文時に、サーバ３が通信部３５を介して携帯端末５の端末位置を携帯端末５から受信するものである。
【００５４】
プリンタ情報送信手段１１６は、サーバ３が、上記端末位置に最も近い画像プリント装置２のプリンタ情報を通信部３５を介して携帯端末５に送信するものである。
【００５５】
近隣装置送信手段１１７は、サーバ３が、上記端末位置に最も近い画像プリント装置２の位置情報を通信部３５を介して携帯端末５に送信するものである。
【００５６】
判定手段１１８は、サーバ３が、画像変換に用いたプリンタ情報と、実際に画像をプリントする画像プリント装置２のプリンタ情報が一致するか否かを判定するものである。
【００５７】
図９（ａ）は携帯端末５の記憶部５２に格納される注文画像データ１００の例である。注文画像データ１００は、例えば画像１０１、端末位置１０２、二次元コード１０３、近隣装置情報１０４等を紐付けたものである。
【００５８】
画像１０１は、プリント注文時に、携帯端末５がサーバ３に送信した画像である。
【００５９】
端末位置１０２は、プリント注文時の携帯端末５の位置である。端末位置は例えば緯度と経度により表される。
【００６０】
二次元コード１０３は後述する注文IDをコード化したものであり、画像プリント装置２で画像１０１をプリントする際のトリガー情報として用いられる。
【００６１】
近隣装置情報１０４は、端末位置１０２と最も近い位置にある画像プリント装置２を示す情報であり、当該画像プリント装置２の位置情報を含む。
【００６２】
図９（ｂ）はサーバ３の記憶部３２に格納される装置データ２００の例である。装置データ２００は、例えば、サーバ３で管理している各画像プリント装置２の装置ID２０１を、当該画像プリント装置２の位置情報２０２、プリンタ情報２０３に紐付けたものである。
【００６３】
装置ID２０１は個々の画像プリント装置２を識別する識別情報である。
【００６４】
位置情報２０２は上記画像プリント装置２の位置を示す情報である。位置情報２０２は例えば緯度と経度により表される。
【００６５】
プリンタ情報２０３は上記画像プリント装置２のプリンタ２６について示す情報であり、例えば画像プリント装置２のプリンタ２６の識別情報やプリンタ転送時の画像変換方法（例えば、図５（ａ）で説明したプリンタ転送時のサイズ変換方法やシャープネスの設定、色変換式など）を含む。
【００６６】
図９（ｃ）はサーバ３の記憶部３２に格納される注文受付データ３００の例である。注文受付データ３００は、例えば、注文ID３０１、画像１０１、注文情報３０２、プリンタ情報２０３等を紐付けたものである。
【００６７】
注文ID３０１は、個々のプリント注文を識別する識別情報である。前記の二次元コード１０３は、注文ID３０１をコード化して作成される。
【００６８】
注文情報３０２は、画像１０１のプリント枚数やプリントサイズなどのプリント注文に関する情報である。
【００６９】
（２．画像プリントシステム１の処理）
次に、本実施形態の画像プリントシステム１が行う処理について説明する。画像プリントシステム１の処理は、画像１０１のプリント注文と画像１０１のプリントに大きく分けることができ、以下ではそれぞれの手順について説明する。
【００７０】
（２−１．画像１０１のプリント注文）
図１０は画像１０１のプリント注文の手順を示すフローチャートである。図１０のＳ１０１〜Ｓ１０３、Ｓ１０７〜Ｓ１１３、Ｓ１１７〜Ｓ１１９は携帯端末５の制御部５１が携帯端末５の各部を制御することにより実行する処理である。Ｓ１０４〜Ｓ１０６、Ｓ１１４〜Ｓ１１６はサーバ３の制御部３１がサーバ３の各部を制御することにより実行する。
【００７１】
本実施形態では、まずユーザが自身の携帯端末５で前記のアプリケーションプログラム（以下、アプリケーションという）を立ち上げ、画像のプリント注文に係る操作を行う。
【００７２】
例えばユーザは、表示部５３に表示される画像選択画面（不図示）上で記憶部５２に格納された画像の中からプリントする画像１０１を選択する。
【００７３】
携帯端末５は、画像の１０１の選択を受け付ける（Ｓ１０１）と、携帯端末５の端末位置１０２をGPS(Global  Positioning  System)などの測位システムを利用して取得し（Ｓ１０２）、端末位置１０２をサーバ３に送信する（Ｓ１０３）。
【００７４】
サーバ３は、携帯端末５から端末位置１０２を受信する（Ｓ１０４）と、当該端末位置１０２と最も近い位置の画像プリント装置２を装置データ２００の中から検索し、その画像プリント装置２の装置ID２０１、位置情報２０２、プリンタ情報２０３（プリンタ情報２０３等という）を取得する（Ｓ１０５）。
【００７５】
Ｓ１０５では、例えば装置データ２００から端末位置１０２との差が最も小さい位置情報２０２を検索し、これに対応するプリンタ情報２０３等が装置データ２００の中から取得される。
【００７６】
サーバ３はＳ１０５で取得したプリンタ情報２０３を携帯端末５に送信する（Ｓ１０６）。携帯端末５はプリンタ情報２０３を受信すると（Ｓ１０７）、当該プリンタ情報２０３に基づいてＳ１０１で選択された画像１０１の画像変換を行い（Ｓ１０８）、画像変換後の画像１０１を表示する（Ｓ１０９）。
【００７７】
本実施形態では、上記の画像変換として、例えば図１１（ａ）に示すように、プリンタ情報２０３に基づいて画像１０１のサイズ変換を行って最寄りの画像プリント装置２におけるプリンタ転送時のサイズとし、サイズ変換後の画像１０１を図１１（ｂ）に示すように編集対象として編集画面に表示する。本実施形態では、上記のサイズ変換の他、プリンタ情報２０３に基づいてシャープネスの設定や色変換も行い、最寄りの画像プリント装置２におけるプリンタ転送時のシャープネス設定や色変換に合わせた表示を行う。
【００７８】
図１１（ｂ）の５３１は各種の編集を行うための編集ボタンである。ユーザは当該編集ボタン５３１の選択により画像１０１の編集を行うことができ、携帯端末５は画像１０１の編集を受け付ける（Ｓ１１０）。画像１０１の編集は、例えば画像１０１の明るさ、色の調整、画像１０１への所定の絵柄の付加、画像１０１への描画、複数の画像１０１のレイアウト配置等であるが、これに限ることはない。
【００７９】
前記のプリンタ情報２０３として、上記の編集を行った際の効果の違いを含めることも可能である。例えば画像１０１の明るさを１段階上げる編集を行った場合に画像１０１の階調値を実際にどれだけ上昇させるかを、プリンタ情報２０３に応じて変えることができる。
【００８０】
なお、図１１（ｃ）に示すように、サイズ変換後の画像１０１に重畳して前記の領域ａ（プリントされる領域）を表示し、上記の編集の一つとして、当該領域ａの位置を画像１０１内の任意の位置に設定できるようにしてもよい。画像プリント装置２は、設定された領域ａの位置に応じて画像１０１の端部の削除や画像１０１の端部への領域付加を行い、領域ａが中央部に位置するように編集後の画像１０１を作成する。
【００８１】
またユーザは注文情報３０２（画像１０１のプリント枚数やプリントサイズなど）の設定も画像１０１ごとに行い、編集後の画像１０１のプリント注文の指示を画面上で行う。
【００８２】
携帯端末５はプリント注文の指示を受付け（Ｓ１１１）、編集後の画像１０１およびその注文情報３０２（画像１０１等という）をサーバ３へ送信してプリント注文を行い（Ｓ１１２）、プリント注文した画像１０１についての注文画像データ１００を作成して記憶部５２に記録する（Ｓ１１３）。
【００８３】
Ｓ１１３では、Ｓ１０２で取得した端末位置１０２を画像１０１と紐付けた注文画像データ１００を作成する。なお前記の二次元コード１０３と近隣装置情報１０４はこの時点ではまだ記録されていない。
【００８４】
サーバ３は、画像１０１等を受信する（Ｓ１１４）と、注文受付データ３００を作成する（Ｓ１１５）。Ｓ１１５では注文ID３０１を新たに生成し、これをＳ１１４で受信した画像１０１および注文情報３０２、Ｓ１０６で携帯端末５に送信したプリンタ情報２０３と紐付けて注文受付データ３００を作成する。
【００８５】
またサーバ３は、上記の注文ID３０１をコード化した二次元コード１０３を作成し、Ｓ１０５で取得した装置ID２０１と位置情報２０２を近隣装置情報１０４として二次元コード１０３とともに携帯端末５に送信する（Ｓ１１６）。
【００８６】
携帯端末５は、近隣装置情報１０４と二次元コード１０３を受信する（Ｓ１１７）と、近隣装置情報１０４と二次元コード１０３をＳ１１３で作成した注文画像データ１００に記録し（Ｓ１１８）、注文画像データ１００の画像１０１と近隣装置情報１０４を表示部５３に表示する（Ｓ１１９）。
【００８７】
図１２（ａ）はＳ１１９において携帯端末５の表示部５３に表示される画面の例である。図の例では、ユーザがＳ１１２でサーバ３に送信（アップロード）した画像１０１が表示されるとともに、Ｓ１１７で受信した近隣装置情報１０４が表示される。図の例では、近隣装置情報１０４として地図上の画像プリント装置２の位置にマークｃが表示されるが、その表示方法は特に限定されない。なお図の５３２はＳ１１２でサーバ３にアップロードした他の画像１０１を表示させるための送りボタンである。
【００８８】
（２−２．画像１０１のプリント）
以上のフローでプリント注文を行ったユーザは、プリントする画像１０１を携帯端末５で選択して当該画像１０１に対応する二次元コード１０３を表示部５３に表示させ、これをトリガーとして用い画像プリント装置２に読取らせることで画像１０１のプリントを行うことができる。
【００８９】
図１２（ｂ）は二次元コード１０３の表示画面の例である。図の例では、ユーザが選択した画像１０１が表示されるとともに、当該画像１０１に対応する注文画像データ１００の二次元コード１０３、近隣装置情報１０４が表示される。
【００９０】
図１３は画像１０１をプリントする手順を示すフローチャートである。図１３のＳ２０１〜Ｓ２０３、Ｓ２０７〜Ｓ２０９、Ｓ２１１〜Ｓ２１２は画像プリント装置２の制御装置２０が画像プリント装置２の各部を制御することにより実行し、Ｓ２０４〜Ｓ２０６、Ｓ２１０はサーバ３の制御部３１がサーバ３の各部を制御することにより実行する。
【００９１】
画像プリント装置２は、センサ（不図示）によってボックス内に入ったユーザを検知すると、表示部２１にトップ画面（不図示）を表示させる。このトップ画面では、写真撮影サービスや画像プリントサービスへの移行を選択するためのボタンが表示され、ここではユーザが画像プリントサービスに移行することを選択する。
【００９２】
すると、画像プリント装置２は、二次元コード１０３を読取部２５で読取らせることを促すメッセージを表示部２１に表示する。ユーザは、携帯端末５の表示部５３に表示した二次元コード１０３を読取部２５にかざす。画像プリント装置２は、読取部２５により二次元コード１０３を読取ると（Ｓ２０１）、二次元コード１０３を復号して注文ID３０１を取得する（Ｓ２０２）。
【００９３】
画像プリント装置２は、Ｓ２０２で取得した注文ID３０１と自身のプリンタ情報２０３をサーバ３に送信する（Ｓ２０３）。サーバ３は、注文ID３０１とプリンタ情報２０３を受信する（Ｓ２０４）と、当該プリンタ情報２０３（実際に画像１０１をプリントする画像プリント装置２のプリンタ情報２０３）と、注文ID３０１に対応する注文受付データ３００のプリンタ情報２０３（画像変換に用いたプリンタ情報２０３）とが一致するか否かを判定する（Ｓ２０５）。
【００９４】
プリンタ情報２０３が一致する場合（Ｓ２０５；ＹＥＳ）、サーバ３はＳ２０４で受信した注文ID３０１に対応する注文受付データ３００の画像１０１とその注文情報３０２を画像プリント装置２に送信する（Ｓ２０６）。
【００９５】
画像プリント装置２は、画像１０１と注文情報３０２を受信すると（Ｓ２０７）、画像１０１および注文情報３０２に応じたプリント料金等を表示部２１に表示させ、ユーザによる画像１０１の確認とプリント料金の課金を促す。
【００９６】
ユーザは画面に表示された画像１０１を確認し、課金部２２にてプリント料金を課金する。画像プリント装置２は、課金を受付けると（Ｓ２０８）、画像１０１のプリントをプリンタ２６にて行う（Ｓ２０９）。この画像１０１は、当該画像プリント装置２におけるプリンタ転送時の画像変換が既に行われたものであるため（図１０のＳ１０８参照）、画像１０１のプリント時にはプリンタ転送時の画像変換を省略することが可能である。
【００９７】
一方、Ｓ２０５の判定においてプリンタ情報２０３が一致しないと判定される場合（Ｓ２０５；ＮＯ）、サーバ３は、プリンタ情報２０３が一致しない旨の情報を画像プリント装置２に送信する（Ｓ２１０）。画像プリント装置２はこれを受信して（Ｓ２１１）表示部２１に表示し（Ｓ２１２）、処理を終了する。
【００９８】
以上説明したように、本実施形態では、携帯端末５で画像１０１を表示して編集を行う際、画像プリント装置２のプリンタ情報２０３を受信することで、当該プリンタ情報２０３に基づいた画像表示を携帯端末５にて行うことができる。こうして画像プリント装置２のプリンタ情報２０３に基づいた表示を行うことで、ユーザがその画像プリント装置２で画像１０１をプリントした時の違和感を軽減し、満足感を与えることができる。
【００９９】
また本実施形態では端末位置１０２をサーバ３に送信して当該端末位置１０２の最寄りの画像プリント装置２のプリンタ情報２０３を受信し、そのプリンタ情報２０３に基づいた画像表示を行うことで、ユーザが最寄りの画像プリント装置２で画像をプリントした時の違和感を軽減できる。
【０１００】
さらに、本実施形態では最寄りの画像プリント装置２の位置情報２０２を携帯端末５にて受信することができ、その位置情報を表示するなどして最寄りの画像プリント装置２までユーザを誘導できる。
【０１０１】
またサーバ３は、前記のＳ２０５（図１３参照）において、画像変換に用いたプリンタ情報２０３と、実際に画像１０１をプリントする画像プリント装置２のプリンタ情報２０３が一致するかどうかを判定することで、画像変換に用いたプリンタ情報２０３に対応する画像プリント装置２と異なる画像プリント装置２でプリントを行うことで違和感を与える恐れがあることをシステム側で把握でき、適切な対応をとることができる。本実施形態ではプリンタ情報２０３が異なる場合、その旨を画像プリント装置２に表示し処理を終了する。
【０１０２】
しかしながら、本発明はこれに限らない。例えば本実施形態では証明写真の撮影ボックスで画像をプリントする例を説明したが、これに限ることはなく、コンビニエンスストアや家電量販店その他の店舗等に設置された写真撮影機能を持たない画像プリント装置であっても、サーバ３と通信可能に接続されていれば本実施形態の手法は前記と同様に適用可能である。
【０１０３】
また、本実施形態ではＳ１０３（図１０参照）において携帯端末５が端末位置１０２をサーバ３に送信し、最寄りの画像プリント装置２のプリンタ情報２０３をサーバ３から受信しているが、例えばユーザが画像１０１のプリントを行う画像プリント装置２を携帯端末５にて選択し、その選択結果をサーバ３に送信してもよい。サーバ３は、選択された画像プリント装置２のプリンタ情報２０３を携帯端末５に送信し、携帯端末５では当該プリンタ情報２０３に基づいて画像変換を行う。
【０１０４】
また、本実施形態では画像１０１を表示して編集を行う際に画像変換を行ったが、編集を行わず表示した画像１０１をそのまま注文するようなケースでも適用可能である。あるいは、プリント注文時にはプリンタ情報２０３を用いた画像変換を行わず、前記のＳ１１９（図１０参照）において図１２（ｂ）に示すように画像１０１を表示する際に初めてプリンタ情報２０３を用いた画像変換を行ってもよい。
【０１０５】
また、本実施形態ではプリンタ情報２０３が一致するかどうかの判定（図１３のＳ２０５）をサーバ３が行っているが、画像プリント装置２が判定を行うこともできる。例えば二次元コード１０３に注文受付データ３００のプリンタ情報２０３を含めておき、画像プリント装置２が、前記のＳ２０１で二次元コード１０３を読取って得たプリンタ情報２０３が自身のプリンタ情報２０３と一致するかを判定すればよい。
【０１０６】
また本実施形態では、プリンタ情報２０３が一致しない場合、その旨を画像プリント装置２の表示部２１に表示して処理を終了しているが、図１４に示すように画像１０１のプリントを行うかどうかを確認するための確認画面を表示部２１に表示してもよい。図１４の例では、画像１０１をプリントするとプリント注文時とは異なる印象となる可能性がある旨を表示し、ユーザによる確認を促す。
【０１０７】
図１４の２１１はユーザの承諾を示す「はい」ボタンであり、ユーザが「はい」ボタン２１１にタッチすると、画像プリント装置２は前記のＳ２０８〜Ｓ２０９の手順により画像１０１のプリントを行う。この場合、プリンタ転送時の画像変換は省略することなく行われる。図１４の２１２はユーザの不承諾を示す「いいえ」ボタンであり、ユーザが「いいえ」ボタン２１２にタッチすると、画像プリント装置２はそのまま処理を終了する。
【０１０８】
［第２の実施形態］
ユーザは、プリンタ情報２０３を用いて変換を行った画像１０１を携帯端末５で表示した後に、他の用事で別の場所に移動する場合もある。このようなケースでは画像表示時の最寄りの画像プリント装置２とユーザの移動後の最寄りの画像プリント装置２が異なり、仮に後者の画像プリント装置２でプリントを行うと前記と同様の違和感を与える恐れがある。
【０１０９】
第１の実施形態ではそのような場合に画像プリント装置２で画像１０１をプリントしない（または図１４の確認画面を表示する）こととしているが、それより前の段階で、図１２（ｂ）に示すように二次元コード１０３等を携帯端末５で表示させる際に図１４と同様の確認画面を表示することができる。以下、その手順について第２の実施形態として説明する。他の点については第１の実施形態と同様であるので説明を省略する。
【０１１０】
図１５は二次元コード１０３等を表示する手順を示すフローチャートであり、図の各ステップは携帯端末５の制御部５１が携帯端末５の各部を制御することにより実行する。
【０１１１】
二次元コード１０３を表示する際、ユーザはまず携帯端末５を操作してアプリケーションを立ち上げ、表示部５３に表示される選択画面（不図示）にてプリントする画像１０１を選択する。
【０１１２】
携帯端末５はこの画像選択を受付ける（Ｓ３０１）と、Ｓ１０２（図１０参照）と同様に端末位置を取得し（Ｓ３０２）、当該端末位置と、Ｓ３０１で選択された画像１０１に対応する注文画像データ１００の端末位置１０２とを比較する。これにより、現在の端末位置がプリント注文時の端末位置１０２から所定距離離れたか否かを判定し（Ｓ３０３）、判定結果に応じた以下の表示を行う。所定距離は予め設定された値である。
【０１１３】
Ｓ３０３においてプリント注文時の端末位置１０２から所定距離離れていないと判定された場合（Ｓ３０３；ＮＯ）、ユーザはそれほど移動していないため最寄りの画像プリント装置２がプリント注文時から変わっていないとし、携帯端末５は、図１２（ｂ）と同様に二次元コード１０３等を表示させる（Ｓ３０４）。
【０１１４】
一方、Ｓ３０３においてプリント注文時の端末位置１０２から所定距離離れたと判定された場合（Ｓ３０３；ＹＥＳ）、ユーザがある程度移動したため最寄りの画像プリント装置２がプリント注文時から変わっているとし、携帯端末５は図１６に示す確認画面を表示する（Ｓ３０５）。確認画面では、現在の端末位置に対する最寄りの画像プリント装置２でプリントを行うと、プリント注文時と異なる印象となる可能性がある旨が表示される。
【０１１５】
図１６の５３３はユーザの承諾を示す「はい」ボタンであり、ユーザが「はい」ボタン５３３にタッチすると、携帯端末５は図１２（ｂ）と同様に二次元コード１０３等を表示させる（Ｓ３０４）。
【０１１６】
図１６の５３４はユーザの不承諾を示す「いいえ」ボタンであり、ユーザが「いいえ」ボタン５３４にタッチすると、携帯端末５は二次元コード１０３等を表示せず処理を終了する。あるいは先程のＳ１０２〜Ｓ１１８と同様の処理により画像１０１の表示・編集・プリント注文を再度行ってもよい。
【０１１７】
なお、本実施形態では端末位置による判定を行ったが、プリント注文時からの時間経過により判定を行うことも可能である。この場合、例えばＳ１１２（図１０参照）で画像１０１等をサーバ３に送信した時刻を注文時刻として注文画像データ１００に記録しておき、Ｓ３０１で画像１０１の選択を受付けた際の現在時刻と注文時刻を比較する。現在時刻が注文時刻から所定時間経過したと判定される場合、ユーザがプリント注文時からある程度移動した可能性が有るとし、図１６と同様の確認画面を表示させる。
【０１１８】
端末位置による判定と時間経過による判定を併用することも可能であり、例えば、上記の現在時刻が注文時刻から所定時間経過したと判定される場合のみ、端末位置による判定（Ｓ３０３）を行うことで、携帯端末５の測位を行う頻度をできるだけ少なくしつつ、ユーザが所定距離離れた場所に移動したことを確実に判定できる。
【０１１９】
以上、添付図面を参照して、本発明の好適な実施形態について説明したが、本発明は係る例に限定されない。当業者であれば、本願で開示した技術的思想の範疇内において、各種の変更例または修正例に想到し得ることは明らかであり、それらについても当然に本発明の技術的範囲に属するものと了解される。
【符号の説明】
【０１２０】
１：画像プリントシステム
２：画像プリント装置
３：サーバ
５：携帯端末
６：ネットワーク
２０：制御装置
２１：表示部
２２：課金部
２３：撮影部
２４：照明
２５：読取部
２６：プリンタ
２７：プリント物取出口
１００：注文画像データ
１０１：画像
１０２：端末位置
１０３：二次元コード
１０４：近隣装置情報
１１１：端末位置送信手段
１１２：プリンタ情報受信手段
１１３：画像表示手段
１１４：近隣装置受信手段
１１５：端末位置受信手段
１１６：プリンタ情報送信手段
１１７：近隣装置送信手段
１１８：判定手段
２００：装置データ
２０１：装置ID
２０２：位置情報
２０３：プリンタ情報
３００：注文受付データ
３０１：注文ID
３０２：注文情報
【図１】
2020061064.tif 000003
【図２】
2020061064.tif 000004
【図３】
2020061064.tif 000005
【図４】
2020061064.tif 000006
【図５】
2020061064.tif 000007
【図６】
2020061064.tif 000008
【図７】
2020061064.tif 000009
【図８】
2020061064.tif 000010
【図９】
2020061064.tif 000011
【図１０】
2020061064.tif 000012
【図１１】
2020061064.tif 000013
【図１２】
2020061064.tif 000014
【図１３】
2020061064.tif 000015
【図１４】
2020061064.tif 000016
【図１５】
2020061064.tif 000017
【図１６】
2020061064.tif 000018